(57)【要約】【課題】  装着しながら運動しても装着ベルトの位置ずれや落下の恐れがなく、同時に、胸部への圧迫感のない装着ベルトを備えた生体情報検出器を提供すること。【解決手段】  生体情報検出器は、左ショルダーベルト部１０と右ショルダーベルト部２０の一対のショルダーベルト部を有する装着ベルト１と、装着ベルト１に取り付けられた一対の電極部２Ａ，２Ｂと、一対の電極部２Ａ，２Ｂに接続ケーブル８Ａ，８Ｂを夫々介して接続され且つ装着ベルト１に取り付けられた生体信号検出部３で構成されている。左ショルダーベルト部１０と右ショルダーベルト部２０は利用者の背側に交差結合部３０を形成している。交差結合部３０には、生体信号検出部３が取り付けられている。左ショルダーベルト部１０には伸縮部１３と分離可能な結合手段１４が、右ショルダーベルト部２０には伸縮部２３と分離可能な結合手段２４が夫々設けられている。【選択図】  図１
2008054745.tif 000002
【特許請求の範囲】
【請求項１】
左ショルダーベルト部と右ショルダーベルト部を有する装着ベルトと、前記左ショルダーベルト部と前記右ショルダーベルト部に夫々取り付けられた一対の電極部と、前記一対の電極部に電気的に接続されて前記装着ベルトに取り付けられた生体信号検出部とから構成された生体情報検出器。
【請求項２】
前記装着ベルトには伸縮部が設けられていることを特徴とする請求項１に記載の生体情報検出器。
【請求項３】
前記装着ベルトには長さ調整手段が設けられていることを特徴とする請求項１に記載の生体情報検出器。
【請求項４】
前記左ショルダーベルト部は胸側で夫々の一端が分離可能な結合手段により結合された肩当てベルト部と腋当てベルト部を有すること、
前記右ショルダーベルト部は胸側で夫々の一端が分離可能な結合手段により結合された肩当てベルト部と腋当てベルト部を有すること、
前記左ショルダーベルト部の肩当てベルト部と腋当てベルト部の夫々の他端と前記右ショルダーベルト部の肩当てベルト部と腋当てベルト部の夫々の他端は背側で結合されてベルト結合部を形成すること、
前記一対の電極部は前記左ショルダーベルト部と前記右ショルダーベルト部の夫々の肩当てベルト部の胸側に取り付けられていること、及び、
前記生体信号検出部は前記ベルト結合部に取り付けられていることを特徴とする請求項１に記載の生体情報検出器。
【請求項５】
伸縮部は、前記左ショルダーベルト部と前記右ショルダーベルト部の夫々の腋当てベルト部に取り付けられていることを特徴とする請求項４に記載の生体情報検出器。
【請求項６】
長さ調整手段は、前記左ショルダーベルト部と前記右ショルダーベルト部の夫々の肩当てベルト部に設けられていることを特徴とする請求項４に記載の生体情報検出器。
【請求項７】
前記装着ベルトは前記左ショルダーベルト部と前記右ショルダーベルト部が１個の分離可能な結合手段により結合され、結合状態では１個の輪を形成し且つ背側に十字型ベルト交差部を形成するようにして人体に装着されるものであること、
前記一対の電極部は前記左ショルダーベルト部と前記右ショルダー部の夫々の肩当てベルト部の胸側に取り付けられていること、及び、
前記生体信号検出部は前記一対の電極部のいずれか一方の表側に取り付けられていることを特徴とする請求項１に記載の生体情報検出器。
【請求項８】
前記分離可能な結合手段は、前記左ショルダーベルト部と前記右ショルダーベルト部のいずれか一方の肩当てベルト部に設けられていることを特徴とする請求項７に記載の生体情報検出器。
【請求項９】
伸縮部は、前記左ショルダーベルト部と前記右ショルダーベルト部のいずれか一方の背当てベルト部に設けられていることを特徴とする請求項７に記載の生体情報検出器。
【請求項１０】
長さ調整手段は、前記分離可能な結合手段の近傍に設けられていることを特徴とする請求項７に記載の生体情報検出器。
【発明の詳細な説明】
【技術分野】
【０００１】
本発明は、装着ベルトに取り付けられた一対の電極の間に発生した信号を処理して生体信号を検出する検出回路と前記生体信号データを送信する送信回路とを備えた生体情報検出器に関する。前記生体情報検出器は、前記生体信号データを受信して生体情報を表示する生体情報表示器とで生体情報計測装置を構成するものである。
【背景技術】
【０００２】
心拍数計測装置は生体情報計測装置の代表的なものであり、一般に、チェストベルトに取り付けられた一対の胸電極の間に発生した心電位を処理して心拍信号を検出する検出回路と前記心拍信号を送信する無線送信回路とを備えた心拍数検出器と、前記心拍信号を受信する無線受信部と前記心拍信号を処理して心拍数を算出する心拍数演算回路と前記心拍数を表示する表示回路を備えた腕時計型電子時計とで構成されている。
【０００３】
チェストベルトを備えた心拍数計測器は、特開平６−２４５９１３号公報（特許文献１）、特開２００２−１４３１１０号公報（特許文献２）、特開平１０−１５５７５３号公報（特許文献３）、米国特許第５４９１４７４号公報（特許文献４）などに開示されている。
【０００４】
これら従来の心拍数計測器において、チェストベルト自体はズボンのベルトよりは幅が広いが基本的には同じ構造である。ところが、チェストベルトに装着されている心拍数計測器は、小型化・軽量化しても一般的な腕時計本体程度の重量を有する。心拍数計測器は、各種の電子部品、機構部品、電池及びこれらを収納するケースを備えて構成されているからである。このため、従来のチェストベルトを備えた心拍数計測器を人体に装着すると、前記心拍数計測器の重量のために、位置ずれするという問題があった。
【０００５】
位置ずれを防止しようとすれば、長さ調節手段を操作してチェストベルトを強く締め付けて人体に装着することになる。しかしながら、チェストベルトを強く締め付けて装着すると、利用者の胸部を圧迫することになり、ベルト装着による不快な圧迫感や息苦しさを生じさせるという問題である。もう一つは、心電位を検出する電極部は人体に直接接触させる必要があるが、チェストベルトを用いる心拍数計測器などの生体情報検出器においては、服を着る前に装着しなければならないという問題である。
【特許文献１】特開平６−２４５９１３号公報
【特許文献２】特開２００２−１４３１１０号公報
【特許文献３】特開平１０−１５５７５３号公報
【特許文献４】米国特許第５４９１４７４号公報
【発明の開示】
【発明が解決しようとする課題】
【０００６】
本発明が解決しようとする第１の課題は、装着しながら運動しても装着ベルトの位置ずれや落下の恐れがない生体情報検出器を提供することである。本発明が解決しようとする第２の課題は、装着しながら運動しても装着ベルトの位置ずれや落下の恐れがなく、同時に、胸部への圧迫感のない装着ベルトを備えた生体情報検出器を提供することである。
【課題を解決するための手段】
【０００７】
上記第１の課題を解決する生体情報検出器を、左ショルダーベルト部と右ショルダーベルト部を有する装着ベルトと、前記左ショルダーベルト部と前記右ショルダーベルト部に夫々取り付けられた一対の電極部と、前記一対の電極部に電気的に接続されて前記装着ベルトに取り付けられた生体信号検出部とで構成した。上記第２の課題を解決する生体情報検出器を、左ショルダーベルト部と右ショルダーベルト部を有する伸縮性の装着ベルトと、前記左ショルダーベルト部と前記右ショルダーベルト部に夫々取り付けられた一対の電極部と、前記一対の電極部に電気的に接続されて前記装着ベルトに取り付けられた生体信号検出部とで構成した。
【発明の効果】
【０００８】
本発明は左右一対のショルダーベルト部に腕を通して装着する装着ベルトを有する生体情報検出器であるから、装着しながら運動しても装着ベルトの位置ずれや落下の恐れがない。また、本発明に係る生態情報検出装置は、左右一対のショルダーベルト部に腕を通して装着する装着ベルトであって、装着時には背面に交差部が形成される装着ベルトを有するものであるから、電極部と人体との密着性がよい。また、本発明においては装着ベルトを伸縮性のベルトで構成できるため、装着時の胸部への圧迫感はなくなり、利用者はベルト装着による息苦しさを感じることがなくなった。更に、袖のないランニングシャツを着用している利用者は、ランニングシャツを脱がなくても本発明に係る生体情報検出器を装着できるようになった。更にまた、背筋を伸ばす方向へ装着ベルトが姿勢矯正するため、本発明に係る生体情報検出器を装着した利用者は姿勢よくランニング等の運動を行うことができる。
【発明を実施するための最良の形態】
【０００９】
本発明に係る生体情報検出器は、左ショルダーベルト部と右ショルダーベルト部を有する伸縮性の装着ベルトと、前記左ショルダーベルト部と前記右ショルダーベルト部に夫々取り付けられた一対の電極部と、前記一対の電極部に電気的に接続されて前記装着ベルトに取り付けられた生体信号検出部とで構成されている。
【実施例１】
【００１０】
本発明の実施例１の生体情報検出器は、図１の斜視図、図２の裏面図、図３の装着状態を示した正面図（ａ）と背面図（ｂ）に示す如く、左ショルダーベルト部１０と右ショルダーベルト部２０の一対のショルダーベルト部を有する装着ベルト１と、装着ベルト１に取り付けられた一対の電極部２Ａ，２Ｂと、一対の電極部２Ａ，２Ｂに接続ケーブル８Ａ，８Ｂを夫々介して接続され且つ装着ベルト１に取り付けられた生体信号検出部３で構成された心拍計測装置である。
【００１１】
電極部２Ａの取付け位置は、装着ベルト１を装着したときに、電極部２Ａが利用者の左側の腋と肩の間の左胸の一部分、換言すれば左腕の付け根付近の左胸の一部分に当接するベルト部分である。同様に、電極部２Ｂの取付け位置は、装着ベルト１を装着したときに、電極部２Ｂが利用者の右側の腋と肩の間の右胸の一部分、換言すれば右腕の付け根付近の右胸の一部分に当接するベルト部分である。
【００１２】
左ショルダーベルト部１０は、利用者の胸側で夫々の一端が分離可能な結合手段１４によって結合された肩当てベルト部１１と腋当てベルト部１２を有する。右ショルダーベルト部２０は、利用者の胸側で夫々の一端が分離可能な結合手段２４で結合された肩当てベルト部２１と腋当てベルト部２２を有する。そして、左ショルダーベルト部１０の肩当てベルト部１１と腋当てベルト部１２の夫々の他端と右ショルダーベルト部２０の肩当てベルト部２１と腋当てベルト部２２の夫々の他端は利用者の背側で結合されて交差結合部３０を形成している。
【００１３】
装着ベルト１には、適度の伸縮性を持たせて最適の装着状態を維持するためのせるために、ゴムベルト又はゴム糸を縫い込んだ布ベルトなどで構成された伸縮部１３，２３が設けられている。伸縮部１３は左ショルダーベルト部１０の腋当てベルト部１２に、伸縮部２３は右ショルダーベルト部２０の腋当てベルト部２２に夫々設けられている。
【００１４】
分離可能な結合手段１４は、ソケット１４Ａとプラグ１４Ｂで構成されたバックルの如き一般的な部品である。ソケット１４Ａとプラグ１４Ｂは、左ショルダーベルト部１０の肩当てベルト部１１と腋当てベルト部１２の夫々の一端に固着されている。同様に、分離可能な結合手段２４は、ソケット２４Ａとプラグ２４Ｂで構成されたバックルの如き一般的な部品である。ソケット２４Ａとプラグ２４Ｂは、右ショルダーベルト部２０の肩当てベルト部２１と腋当てベルト部２２の夫々の一端に固着されている。
【００１５】
左ショルダーベルト部１０の長さ調整手段１５は、肩当てベルト部１１のソケット１４Ａの近くに夫々設けられている。また、右ショルダーベルト部２０の長さ調整手段２５は、肩当てベルト部２１のソケット２４Ａの近くに設けられている。長さ調整手段１５も長さ調整手段２５も、ベルト長さの調整に使用されている一般的な部品である。
【００１６】
生体信号検出部２は交差結合部３０の表側に取り付けられている。交差結合部３０は、ベルト幅の長さの正方形として示されているが、円形や楕円形の交差結合部とすることも可能である。要するに、交差結合部３０は生体信号検出部２を取り付けるのに十分な面積を有するものであればよいのである。
【実施例２】
【００１７】
本発明の実施例２の生体情報検出器は、図４の斜視図と図５の裏面図に示す如く、  左ショルダーベルト部１０と右ショルダーベルト部２０が１個の分離可能な結合手段４により結合され、結合状態では１個の輪を形成し且つ背側に十字型交差部７を形成するようにして人体に装着される装着ベルト１と、装着ベルト１に取り付けられた一対の電極部２Ａ，２Ｂと、装着ベルト１に取り付けられた生体信号検出部３で構成された心拍計測装置である。
【００１８】
生体信号検出部３の装着ベルト１への取付け位置は、電極部２Ａの取付け位置と同じである。即ち、電極部２Ａは装着ベルト１の左ショルダーベルト部１０の電極部取付け位置の裏側に取り付けられており、生体信号検出部３は装着ベルト１の左ショルダーベルト部１０の前記電極部取付け位置の表側に取り付けられている。電極部２Ａの取付け位置は、装着ベルト１を装着したときに、電極部２Ａが利用者の左側の腋と肩の間の左胸の一部分、換言すれば左腕の付け根付近の左胸の一部分に当接するベルト部分である。同様に、電極部２Ｂの取付け位置は、装着ベルト１を装着したときに、電極部２Ｂが利用者の右側の腋と肩の間の右胸の一部分、換言すれば右腕の付け根付近の右胸の一部分に当接するベルト部分である。
【００１９】
装着ベルト１の装着は、両端を分離可能な結合手段４で固定して１個のループを形成し、更に図４に示す如く８の字の形状にし、十字交差部７が背中に位置するようにしながら左右の２つの輪に腕を通して装着ベルト１を装着する。いわゆるタスキ掛けにより、実施例２における装着ベルト１は装着されるのである。
【００２０】
生体信号検出部３は、接続ケーブル８Ａを介して一方の電極部２Ａに接続され、且つ図示しない接続ケーブル８Ｂなどを介して他方の電極２Ｂに夫々接続されている。右ショルダーベルト部２０の腋当てベルト部２２と右ショルダーベルト部２０の肩当て部２１には接続ケーブル８Ａが埋め込まれている。
【００２１】
装着ベルト１には、適度の伸縮性を持たせて最適の装着状態を維持するためのせるために、ゴムベルト又はゴム糸を縫い込んだ布ベルトなどで構成された伸縮部６が設けられている。伸縮部６は、左ショルダーベルト部１０の腋当てベルト部１２又は右ショルダーベルト部２０の肩当て部２１に設けられている。
【００２２】
分離可能な結合手段１４は、ソケット４Ａとプラグ４Ｂで構成されたバックルの如き一般的用着脱可能な結合部品である。ソケット４Ａとプラグ４Ｂは、装着ベルト１の両端に夫々固着されている。装着ベルト１の長さ調整手段５は、電極部２Ａと差込み具４Ｂの間に設けられている。
【図面の簡単な説明】
【００２３】
【図１】本発明の実施例１の生体情報検出器の斜視図である。
【図２】本発明の実施例１の生体情報検出器の裏面図である。
【図３】本発明の実施例１の生体情報検出器の装着状態を示した正面図（Ａ）と背面図（Ｂ）である。
【図４】本発明の実施例２の生体情報検出器の斜視図である。
【図５】本発明の実施例２の生体情報検出器の裏面図である。
【符号の説明】
【００２４】
１  装着ベルト
２Ａ，２Ｂ  電極部
３  生体信号検出部
４  分離可能な結合手段
４Ａ  ソケット
４Ｂ  プラグ
６  伸縮部
７  十字型交差部
８Ａ，８Ｂ  ケーブル
１０  右ショルダーベルト部
１１  肩当て部
１２  腋当て部
１３  伸縮部
１４  分離可能な結合手段
１４Ａ  ソケット
１４Ｂ  プラグ
１５  長さ調整手段
２０  右ショルダーベルト部
２１  肩当て部
２２  腋当て部
２３  伸縮部
２４  分離可能な結合手段
２４Ａ  ソケット
２４Ｂ  プラグ
２５  長さ調整手段
３０  交差結合部
【図１】
2008054745.tif 000003
【図２】
2008054745.tif 000004
【図３】
2008054745.tif 000005
【図４】
2008054745.tif 000006
【図５】
2008054745.tif 000007